【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
患者の心臓パラメータを感知し、それに対応して、心臓パラメータ信号を生成するように作動可能な心拍測定装置と、
前記患者の血管内の赤血球の画像を得るために波長４００ｎｍ〜１０００ｎｍの光を出射し、前記血管から反射された光を受け取ることで前記患者の血管内の赤血球の画像を得るように作動可能な光学測定装置と、
前記画像を処理することで、前記血管内の赤血球の運動を分析するコンピュータと、
前記心臓パラメータ信号を受け取り、それに対応して、前記画像を取得するために前記光学測定装置を起動するように作動可能なインテグレータユニットと、を備える装置。
【請求項２】
前記光学測定装置は眼底検査カメラを備える、請求項１に記載の装置。
【請求項３】
前記光学測定装置は検眼鏡を備える、請求項１に記載の装置。
【請求項４】
前記心拍測定装置は心電計を備える、請求項１に記載の装置。
【請求項５】
前記心拍測定装置は脈波型酸素飽和度計を備える、請求項１に記載の装置。
【請求項６】
前記心拍測定装置は光学濃度計を備える、請求項１に記載の装置。
【請求項７】
前記心臓パラメータ信号は心拍を示すデジタルパルスを含み、前記心拍測定装置は、前記デジタルパルスを生成し、前記心拍の測定されたパラメータを示す追加情報は、すべての心拍に対しては生成しないように作動可能な、請求項１に記載の装置。
【請求項８】
前記血管は前記患者の網膜の血管を含み、前記光学測定装置は、前記網膜から反射された光を受け取るように作動可能な、請求項１に記載の装置。
【請求項９】
前記血管は、眼球結膜、上強膜、舌、表面アクセス可能な血管床、食道、胃、小腸、結腸、胃腸管の内部表面、新生血管形成経路、心臓、脳、肝臓、外科的にアクセス可能な器官の表面、および血管床であって、カテーテル、内視鏡検査法、顕微鏡による内視鏡検査法、または腹腔鏡検査法によりアクセスができる血管床のグループから選択された生体組織の血管を含み、前記光学測定装置は、前記選択された生体組織の血管から反射された光を受け取るように作動可能な、請求項１に記載の装置。
【請求項１０】
前記心臓パラメータ信号は、単一の心拍の複数のパラメータを示す変動トレースを含み、前記心拍測定装置は、前記変動トレースを生成するように作動可能な、請求項１に記載の装置。
【請求項１１】
前記インテグレータユニットは、（ａ）完了した前回の心拍のパラメータを示す前記変動トレースの部分と、（ｂ）前記現在の心拍のパラメータを示す前記変動トレースの部分に対応して、現在進行中で、まだ完了していない心拍の持続時間を推定するように作動可能な、請求項１０に記載の装置。
【請求項１２】
前記インテグレータユニットは、先行する心拍の持続時間を示す前記心拍測定装置からのタイミングデータに対応して前記光学測定装置を起動する時間を指定するように作動可能な、請求項１に記載の装置。
【請求項１３】
前記インテグレータユニットは、現在の心拍の間に、データ取得準備完了を示すオペレータコマンドを受け取り、前記先行する心拍の前記持続時間を示す前記タイミングデータに対応して、前記現在の心拍の間に前記データを取得するために前記光学測定装置を起動するように作動可能な、請求項１２に記載の装置。
【請求項１４】
前記指定された時間は、複数の指定された時間を含み、
前記インテグレータユニットは、前記タイミングデータに対応して前記光学測定装置を起動するために適切な前記複数の時間を指定するように作動可能であり、
前記インテグレータユニットは、データ取得準備完了を示すオペレータコマンドを受け取り、前記オペレータコマンドに対応して、前記指定された時間の１つにおいて前記データを取得するために前記光学測定装置を起動するように作動可能な、請求項１２に記載の装置。
【請求項１５】
前記インテグレータユニットは、直前の前回の心拍の持続期間を示す前記心拍測定装置からのタイミングデータに対応して前記光学測定装置を起動する時間を指定するように作動可能であって、さらに前記インテグレータユニットは、
（ａ）現在の心拍の間に、前記指定された時間において前記光学測定装置を起動し、
（ｂ）これに続いて、前記現在の心拍の前記持続時間を判定し、
（ｃ）前記前回の心拍の前記持続時間が、前記現在の心拍の前記持続時間と、閾値未満の差で異なる場合は、第１プロトコルに従って、前記光学測定装置により取得されたデータを処理し、
（ｄ）前記前回の心拍の前記持続時間が、前記現在の心拍の前記持続時間と、前記閾値を超える差で異なる場合は、第２プロトコルに従って、前記光学測定装置により取得されたデータを処理するように作動可能な、請求項１２に記載の装置。
【請求項１６】
前記第１プロトコルを行うために、前記インテグレータユニットは、前記取得されたデータを処理し、表示用に出力するように作動可能な、請求項１５に記載の装置。
【請求項１７】
前記インテグレータユニットは、前記前回の心拍の前記持続時間（Ｄｐ）と、前記現在の心拍の前記持続時間（Ｄｃ）は、１−ＭＩＮ（Ｄｐ，Ｄｃ）／ＭＡＸ（Ｄｐ，Ｄｃ）が０．２０未満の場合は、前記閾値未満の差で異なっていると判定するように作動可能な、請求項１５に記載の装置。
【請求項１８】
前記インテグレータユニットは、前記前回の心拍の前記持続時間（Ｄｐ）と、前記現在の心拍の前記持続時間（Ｄｃ）は、ＡＢＳ（Ｄｐ−Ｄｃ）が５０ｍｓ未満の場合は、前記閾値未満の差で異なっていると判定するように作動可能な、請求項１５に記載の装置。
【請求項１９】
前記第２プロトコルを行うために、前記インテグレータユニットは、前記取得されたデータを補正し、該補正されたデータを表示用に出力するように作動可能な、請求項１５に記載の装置。
【請求項２０】
前記インテグレータユニットは、血液流速度の指標を生成するために、前記取得されたデータを分析し、前記血液流速度の指標を、心臓周期の複数のフェーズにおける典型的な血液流速度間の既知の関係に基づく因子により補正するように作動可能な、請求項１９に記載の装置。
【請求項２１】
患者の周期的変動パラメータを感知し、それに対応して、周期的変動パラメータ信号を生成するように作動可能な周期的生理パラメータ測定装置と、
光を出射し、そして前記患者の生体組織から反射された光を受け取ることによりデータを取得するように作動可能な光学測定装置と、
前記周期的変動パラメータ信号を受信し、これに対応して、前記データを取得するために前記光学測定装置を起動するように作動可能なインテグレータユニットと、を備える装置。
【請求項２２】
患者の心臓パラメータを感知し、それに対応して、心臓パラメータ信号を生成するように作動可能な心拍測定装置と、
光を出射し、そして前記患者の生体組織から反射された光を受け取ることでデータを得るように作動可能な光学測定装置と、
インテグレータユニットと、を備える装置であって、
前記インテグレータユニットは、
前記心臓パラメータ信号を受け取り、
先行する心拍の持続期間を示す前記心拍測定装置からのタイミングデータに対応して、前記光学測定装置を起動するのに適するように１つ以上の指定時間を指定し、
データ取得準備完了を示すオペレータコマンドを受け取り、
前記オペレータコマンドに対応して、前記指定時間の１つにおいて前記データを取得するように、前記光学測定装置を起動するように作動可能な、装置。
【請求項２３】
押下のためのボタンを更に含み、該ボタンの押下に対応して、前記インテグレータユニットは、前記指定時間の１つにおいて前記データを取得するように、前記光学測定装置を起動するように作動可能な、請求項２２に記載の装置。
【請求項２４】
前記インテグレータユニットは、直前の前回の心拍の持続期間を示す前記心拍測定装置からのタイミングデータに対応して前記光学測定装置を起動する時間を指定するように作動可能であって、さらに前記インテグレータユニットは、
（ａ）前記オペレータコマンドに対応して、現在の心拍の間に前記指定時間の１つにおいて前記光学測定装置を起動し、
（ｂ）これに続いて、前記現在の心拍の前記持続時間を判定し、
（ｃ）前記前回の心拍の前記持続時間が、前記現在の心拍の前記持続時間と、閾値未満の差で異なる場合は、第１プロトコルに従って、前記光学測定装置により取得されたデータを処理し、
（ｄ）前記前回の心拍の前記持続時間が、前記現在の心拍の前記持続時間と、前記閾値を超える差で異なる場合は、第２プロトコルに従って、前記光学測定装置により取得されたデータを処理するように作動可能な、請求項２２に記載の装置。
【請求項２５】
前記第１のプロトコルを実行するために、前記インテグレータユニットは、良好なデータとして、前記取得されたデータを指定するように作動する、請求項２４に記載の装置。